(57)【特許請求の範囲】
【請求項１】
記録手段を有する印字部と、該印字部を摺動可能に保持し第一の直動手段を有するアーム部と、該アーム部を前記第一の直動手段の移動方向に対し垂直方向に摺動可能に保持し第二の直動手段を有するベース部と、前記印字部と一定距離を保って対向し用紙止着手段を有する用紙止着部と、該用紙止着部上にロール紙を配し前記アーム部の移動方向と同方向の搬送手段を有するロール紙搬送部から構成され、前記ロール紙を前記用紙止着部に止着させた状態で、前記印字部を第一の直動手段の移動方向および第二の直動手段の移動方向に搬送して用紙止着部内の記録可能な第１の印字領域に記録を行い、次いで前記ロール紙を印字可能な第２の印字領域まで搬送した後で同様に前記印字部を移動させて第２の印字領域内へ記録を行なうようにした記録装置において、
前記第１の印字領域と第２の印字領域に印字データが跨っているか否かを検出し、該印字データが跨っていた場合には前記第１の印字領域に存在する第一の直動手段の移動方向全域にわたる印字データの空白部を検出し、該印字データの空白部まで記録を行い、その後ロール紙を第２の印字領域を含む次の印字可能領域まで搬送して前記空白部の以降の印字データを記録するようにしたことを特徴とする記録装置におけるロール紙の印刷方法。
【請求項２】
請求項１記載の記録装置におけるロール紙の印刷方法であって、
前記第１の印字領域内に印字データの空白部が複数存在する場合には、最終の空白部までの記録を行なった後、次の印字領域へロール紙を搬送するようにすることを特徴とする記録装置におけるロール紙の印刷方法。
【発明の詳細な説明】
【０００１】
【発明の属する技術分野】
本発明は印字部を互いに垂直な２軸方向に直動可能な記録装置に関し、更に詳しくは記録装置の記録媒体としてロール紙等の長尺物を用いた場合の印刷方法に関するものである。
【０００２】
【従来の技術】
従来のロール紙等の長尺物の印刷は、該ロール紙の幅方向に印字部を摺動させて印字を行い、次いで次行の印字位置までロール紙の搬送を行ない、この動作を繰り返し行うことで記録を行う方法が知られている。
【０００３】
【発明が解決しようとする課題】
上述したように、従来の印刷方法では、印字部の摺動とロール紙の搬送を１回毎に交互に繰り返しており、用紙搬送の回数が多いこと及び搬送量のばらつきが大きいことから、段差や白筋が頻繁に生じていた。
【０００４】
そこで、ロール紙を止着し、その上を互いに垂直な２軸方向に移動可能な印字部を移動させ、用紙を固定したまま複数行を一気に記録することが考えられる。かかる方法を採用すれば、ロール紙を頻繁に搬送する時に比べて段差や白筋が少なくなり、印刷品質が向上する。
【０００５】
しかしながら、上記の場合においても、記録可能領域の第１の印字領域と第２の印字領域のつなぎ目に印字データが跨ってしまうと、やむを得ずこのつなぎ目で用紙を搬送することとなるため、どうしても第１領域の最終印字位置と第２領域の最初の印字位置が一致せず、段差や白筋が発生してしまうという問題があった。
【０００６】
そこで、本発明の課題は、記録可能領域のつなぎ目に発生する段差や白筋をなくし、印刷品質を向上させる印刷方法を提供することである。
【０００７】
【課題を解決するための手段】
上記課題は、記録可能領域が２領域に跨った場合、印字データをデータのない空白部で区切り、それ以降の印字データはロール紙を搬送した後で改めて印刷を行うという印刷方法により解決される。
【０００８】
すなわち、本発明を解決する具体的方法は、記録手段を有する印字部と、該印字部を摺動可能に保持し第一の直動手段を有するアーム部と、該アーム部を前記第一の直動手段の移動方向に対し垂直方向に摺動可能に保持し第二の直動手段を有するベース部と、前記印字部と一定距離を保って対向し用紙止着手段を有する用紙止着部と、該用紙止着部上にロール紙を配し前記アーム部の移動方向と同方向の搬送手段を有するロール紙搬送部から構成され、前記ロール紙を前記用紙止着部に止着させた状態で、前記印字部を第一の直動手段の移動方向および第二の直動手段の移動方向に搬送して用紙止着部内の記録可能な第１の印字領域に記録を行い、次いで前記ロール紙を印字可能な第２の印字領域まで搬送した後で同様に前記印字部を移動させて第２の印字領域内へ記録を行なうようにした記録装置において、前記第１の印字領域と第２の印字領域に印字データが跨っているか否かを検出し、該印字データが跨っていた場合には前記第１の印字領域に存在する第一の直動手段の移動方向全域にわたる印字データの空白部を検出し、該印字データの空白部まで記録を行い、その後ロール紙を第２の印字領域を含む次の印字可能領域まで搬送して前記空白部の以降の印字データを記録することにある。
【０００９】
特に、前記第１の印字領域内に印字データの空白部が複数存在する場合には、最終の空白部までの記録を行なった後、次の印字領域へロール紙を搬送するようにするとよい。
【００１０】
【発明の実施の形態】
以下、本発明を図面に基づいて説明する。
【００１１】
図１は、本発明の一例を示す記録装置の斜視図である。
【００１２】
構成を説明すれば、１はインクジェット方式を記録手段とする印字部で、２は印字部１を用紙幅方向（矢印Ａ方向）に摺動可能に保持するアーム部である。このアーム部２に設けられた第一の直動手段はガイドレール３とモータ（図示せず）、該モータの回転軸に軸着した駆動プーリ（図示せず）、タイミングベルト（図示せず）、および従動プーリ（図示せず）で構成されている。ここで、印字部１はガイドレール３に摺動可能に保持されるとともにタイミングベルトに一部が固定されているので、モータが正逆転することにより印字部１が矢印Ａ方向に移動することができる。
【００１３】
４はベース部であって、その第二の直動手段は両端に設けたガイドレール５、６、およびボールネジ７、モータ８、カップリング９から構成され、これらは鉛直方向である縦置きに設置されている。ここで、ボールネジ７の端部にはカップリング９を介してモータ８が連結され、また、ボールネジ７と螺合し、ボールネジ７の軸上を移動可能なブロック１０がアーム部２に固定されている。従って、モータ８の正逆転によりブロック１０がボールネジ７の軸上を移動するので、アーム部２が矢印Ｂ方向に上下移動することができる。ここで、アーム部２の矢印Ｂ方向の移動方向は印字部１の矢印Ａ方向の移動方向に対し垂直方向に設定されている。
【００１４】
１１は用紙止着部であって、印字部１と一定距離を保って対向している。また、用紙止着部１１の上部（用紙搬送方向の下流側）にはロール紙巻き取り用の搬送ローラ１２と、該搬送ローラ１２を駆動するモータ１３が具備されている。
【００１５】
以下、記録動作について説明する。
【００１６】
まず、ロール紙１４を搬送ローラ１２にセットする。そして、ロール紙１４を用紙止着部１１に止着させ、用紙止着部１１の記録可能領域１５に記録を開始する。記録開始時において、印字部１はアーム部２の左側、アーム部２は用紙止着部１１の上方に位置し、モータ８の保持力によりアーム部２は静止している。
【００１７】
印字部１がアーム部２上を矢印Ａ方向に１往復（アーム部２の左位置→右位置→左位置）してロール紙１４にインクを噴射する。１往復してアーム部２の左側まで印字部が戻ったところで、アーム部２が矢印Ｂ方向に一定量だけ下降し、静止後、また、印字部１がアーム部２上を矢印Ａ方向に上記説明と同様に１往復してインクを噴射し、その後アーム部２が一定量だけ下降し静止する。この動作を繰り返してアーム部２が用紙止着部１１の上側から下側まで間欠移動することにより、記録可能領域１５（第１領域）の全面に記録することができる。
【００１８】
図２は本発明における印刷方法を示す図である。
【００１９】
ロール紙１４には破線で囲んだ記録可能領域１５がある。長尺ものの印刷において、記録する文字、図形１６単体の大きさは、記録可能領域１５の矢印Ｂ方向の長さＹｏよりも小さいものに限定する。
【００２０】
ここで、図２（ａ）に示すように１つの文字、図形１６が記録可能領域１５の第１の印字領域からはみ出して記録可能領域の第２の印字領域に跨る可能性がある。よって、第１の印字領域の記録開始前に印字データが第２の印字領域に跨るか否かを調べる。
【００２１】
第２の印字領域に印字データが跨らない場合は、そのまま第１の印字領域の記録を行う。第１の印字領域の印字終了後、用紙止着を解除するとモータ１３が回転し、用紙止着部１１上の記録済みのロール紙１４は搬送ロール１２により第１領域搬送されて、第２の印字領域の新しいロール紙１４の未記録部分が用紙止着部１１にセットされる。
【００２２】
一方、印字データが第２の印字領域に跨る場合は、第１の印字領域の印字データの最後から最も近い、矢印Ａ方向全域にわたるデータの空白部１７を探し、該空白部１７よりも前の印字データ１８の記録だけを行うようにする。印字終了後、用紙止着を解除し、ロール紙１４を送り量Ｙｆ（印字された領域のみ）だけ搬送する。そして、印字データの空白部１７より後の印字データ１９の記録を第２の印字領域を含めた印字可能領域内に行う。
【００２３】
ここで、Ｙｆは次式で定義される。
【００２４】
【数１】
0003580470.tif 000002
【００２５】
ここまでの一連の動作を繰り返すことで、印字可能領域が多領域に渡るロール紙等の長尺物の印刷を行う。
【００２６】
【発明の効果】
第１の印字領域と第２の印字領域に跨った印字データが存在する場合に、第１の印字領域に印字される印字データ内のロール紙幅方向に印字データを持たない領域（空白部）で印字動作を区切り、それ以降の印字データはロール紙を搬送した後で、第２の印字領域を含めた新しい印字領域で改めて印刷を行うといった印刷方法をとることにより、第１の印字領域と頁と第２の印字領域のつなぎ目に発生していた段差や白筋をなくすことが可能となり、印刷品質が向上する。
【図面の簡単な説明】
【図１】本発明を実現する印刷機機構の一例を示す全体斜視図。
【図２】本発明の印字方法を示す印字データを載せたロール紙の平面図。
【符号の説明】
１は印字部、２はアーム部、３、５、６はガイドレール、４はベース部、７はボールネジ、８、１３はモータ、９はカップリング、１０はブロック、１１は用紙止着部、１２は搬送ローラ、１４はロール紙、１５は記録可能領域である。
【図１】
0003580470.tif 000003
【図２】
0003580470.tif 000004